(57)【特許請求の範囲】
【請求項１】
棒状化粧料を後側から把持するための芯チャックであって、
棒状化粧料を後側から包囲する包囲部と、この包囲部の内周面から内側に突出して設けられており該包囲部によって棒状化粧料に押し付けられる弾性パッドとを備え、
前記包囲部及び前記弾性パッドは各々の延出片部を具備しており、該包囲部に係る該延出片部が該弾性パッドに係る該延出片部を棒状化粧料に押しつけることで該弾性パッドの原形復帰力によって棒状化粧料に対する把持力が確保され、
更に、前記包囲部及び前記弾性パッドに係る各々の前記延出片部には複数の特定区間が縦列に設けられており、この特定区間における該弾性パッドに係る該延出片部は先端側に比して基端側がより内側に突出していることを特徴とする芯チャック。
【請求項２】
前記包囲部は、前記弾性パッドの原形復帰力によって変形しない剛性を有していることを特徴とする請求項１に記載の芯チャック。
【請求項３】
前記弾性パッドは、棒状化粧料よりも軟らかいことを特徴とする請求項１又は２に記載の芯チャック。
【発明の詳細な説明】
【技術分野】
【０００１】
本発明は、例えばアイライナー、リップライナー等、使用者が相対回転により棒状化粧料を適宜繰り出して使用することを可能とするペン型化粧品の内蔵部品として用いられる芯チャックに関する。
【背景技術】
【０００２】
従来のこの種の芯チャックとしては、例えば棒状化粧料を後側から把持するための芯チャックであって、棒状化粧料を後側から把持する把持部を有しており、この把持部の内周に、把持された棒状化粧料に対しめり込むことで把持部からの棒状化粧料の抜脱を防止する抜脱防止部を備えたものが開示されている（例えば、特許文献１参照）。
【特許文献１】特開２００５−２１５８１号公報
【発明の開示】
【発明が解決しようとする課題】
【０００３】
ところで、従来のこの種の芯チャック、つまり、棒状化粧料の抜脱防止機能を備えた芯チャックは、何らかの意味で把持部の内周の形状を工夫する手段を採用することにより具現化されているが、かかる手段以外の手段は提案されていないことから、技術の選択肢が狭められているのが現状である。
【０００４】
また、従来の芯チャックでは、棒状化粧料の外形寸法や棒状化粧料を把持する把持部の内径寸法の製作精度によっては、把持される棒状化粧料の後端部においてクラックが不可避的に発生する問題があった。このようなクラックが発生すれば、棒状化粧料の抜脱を防止できない事態を招くこととなる。
【０００５】
そこで、本発明の課題は、従来とは全く異なる別個の構成によって棒状化粧料の抜脱を防止することができ、棒状化粧料におけるクラックの発生も回避できる芯チャックを提供することにある。
【課題を解決するための手段】
【０００６】
上記課題を解決するため、本発明の係る芯チャックは、棒状化粧料を後側から把持するための芯チャックであって、棒状化粧料を後側から包囲する包囲部と、この包囲部の内周面から内側に突出して設けられており包囲部によって棒状化粧料に押し付けられる弾性パッドとを備え、包囲部及び弾性パッドは各々の延出片部を具備しており、包囲部に係る延出片部が弾性パッドに係る延出片部を棒状化粧料に押しつけることで弾性パッドの原形復帰力によって棒状化粧料に対する把持力が確保され、更に、包囲部及び弾性パッドに係る各々の延出片部には複数の特定区間が縦列に設けられており、この特定区間における弾性パッドに係る延出片部は先端側に比して基端側がより内側に突出していることを特徴としている。
【０００７】
このような芯チャックによれば、棒状化粧料を後側から包囲する包囲部とこの包囲部によって棒状化粧料に押し付けられる弾性パッドとを備え、この弾性パッドの原形復帰力によって棒状化粧料への把持力が確保されるので、落下等により強い衝撃を瞬間的に受けた場合でも、安定的かつ継続的な把持力がねばり強く維持されることとなり、これにより、棒状化粧料が抜脱する事態を有効に回避することが可能となる。また、特定区間において弾性パッドに係る延出片部が先端側に比して基端側がより内側に突出することによって、棒状化粧料に対して引っ掛かるように作用し、棒状化粧料が抜脱する事態をより有効に回避することが可能となる。
【０００８】
加えて、これによれば、棒状化粧料の外形寸法や棒状化粧料の把持される部分の内径寸法上の誤差も、ある程度弾性パッドによって吸収し得ることとなるため、把持される棒状化粧料の後端部に対しクラックの発生を誘発するキズをつけないことが可能となり、これにより、棒状化粧料におけるクラック発生の問題も有効に回避することが可能となる。
【０００９】
このような技術的手段において、弾性パッドの原形復帰に伴う包囲部の追従変形を確実に回避し得るようにして、より安定的かつ継続的な棒状化粧料への把持力を確保しようとする観点からすれば、包囲部は、弾性パッドの原形復帰力によって変形しない剛性を有していることが好ましい。
【００１０】
また、弾性パッドによって把持される棒状化粧料の後端部に対し確実にキズをつけないようにして、棒状化粧料におけるクラックの発生をより確実に回避しようとする観点からすれば、弾性パッドは、棒状化粧料よりも軟らかいことが好ましい。
【発明の効果】
【００１１】
本発明に係る芯チャックによれば、従来とは全く異なる別個の構成によって棒状化粧料の抜脱を防止することが可能となり、棒状化粧料におけるクラックの発生も回避することが可能となる。
【発明を実施するための最良の形態】
【００１２】
以下、添付図面に基づいて本発明の実施の形態を詳細に説明する。
【００１３】
図１は本発明の一実施の形態に係る芯チャックの全体構成を示す側面図、図２は同芯チャックの部分構成を示す図（図２（ａ）は正面図，図２（ｂ）は側面図）、図３は図２（ａ）のＡ−Ａ断面図、図４は図２（ｂ）のＢ−Ｂ断面図、図５は同Ｃ−Ｃ断面図、図６は同Ｄ−Ｄ断面図、図７は同Ｅ−Ｅ断面図、図８は同Ｆ−Ｆ断面図である。
【００１４】
本実施の形態において、芯チャックは、使用者が相対回転により棒状化粧料を適宜繰り出して使用することを可能とするアイライナーペンシルの内蔵部品として用いられるものである。
【００１５】
本実施の形態における芯チャックは、図１に示すように、後側部分の外周に雄螺子１１が形成された棒状部１と、棒状部１の先端から前側に向けて延出され、棒状化粧料１０（図参照、以下同じ）を後側から把持することを可能とする包囲部２と、この包囲部２によって支持された弾性パッド３とを備えたものとして構成されている。
【００１６】
以下、これらの各構成要素のうち包囲部２と弾性パッド３についてさらに詳細に説明する。
【００１７】
（１）包囲部２
包囲部２は、図１、図２（ｂ）及び図４〜図８に示すように、棒状部１の先端から前側に連続的に形成されたものとして構成されている。
【００１８】
具体的には、包囲部２は、これらの図に示すように、棒状部１の先端から前側に向けて延出された棒状の包囲部に係る基端部２１と、この包囲部に係る基端部２１の先端から前側に向けて延出され、かつ、周方向に沿って複数設けられた包囲部に係る延出片部２２とを備えたものとして構成されている。ここで、弾性パッド３は、棒状部１の先端から離間した部位から前側に向けて延出された棒状の弾性パッドに係る基端部３１と、この弾性パッドに係る基端部３１の先端から前側に向けて延出され、かつ、周方向に沿って複数設けられた弾性パッドに係る延出片部３２とを備えたものとして構成されている。
【００１９】
すなわち、包囲部２は、これらの図に示すように、多色射出成形法によって成形された複数の延出片、つまり、包囲部に係る延出片部２２と弾性パッドに係る延出片部３２とからなる複数の延出片のうち、包囲部に係る延出片部２２を備えたものとして構成されている。
【００２０】
そして、包囲部２、つまり、包囲部に係る延出片部２２は、これらの図に示すように、弾性パッド３、つまり、弾性パッドに係る延出片部３２を棒状化粧料１０に対して押し付けるものとして構成されている。
【００２１】
なお、包囲部に係る延出片部として、弾性パッドに係る延出片部の外周部全体を覆うようにして弾性パッドに係る延出片部を棒状化粧料に押し付けるものを用いれば、弾性パッドによる棒状化粧料１０への把持力が不十分となる事態を有効に回避することが可能となる。
【００２２】
このように、包囲部２に、棒状化粧料１０を後側から包囲し得る形状に形成されたものであることを要求するのは、包囲部に係る延出片部２２の内周部と包囲された棒状化粧料１０の外周部とが離間又は接触するような位置関係とすることにより、包囲部に係る延出片部２２によっては有効な把持力を発揮せずに、包囲部に係る延出片部２２に支持された弾性パッド３によって有効な把持力を発揮することが可能な芯チャックとするためである。したがって、このような役割を果たすものであれば、本発明において包囲部に係る延出片部２２を備えた包囲部２の代わりに、カップ状の包囲部その他の包囲部を用いても差し支えない。
【００２３】
ここで、カップ状の包囲部を用いた場合には、弾性パッドは、この包囲部の内周部及び棒状化粧料１０の外周部の間に介在されることを要する点に留意する。
【００２４】
また、この包囲部２は、合成樹脂からなるものであり、具体的には、ポリアセタール(POM)からなるものとして構成されている。
【００２５】
さらに、本実施の形態における包囲部２は、弾性パッド３の原形復帰力によって変形しない剛性を有するものとして構成されている。
【００２６】
このような包囲部２により、弾性パッド３の原形復帰に伴う包囲部２の追従変形を確実に回避することが可能となっており、その結果、より安定的かつ継続的に棒状化粧料１０への把持力を確保することが可能となっている。
【００２７】
したがって、本実施の形態において、ポリアセタール(POM)からなる包囲部２の代わりに、これと同等な強度を有するポリブチレンテレフタレート(PBT)からなる包囲部、これよりも材料強度は劣るものの断面形状を工夫することによってこれらと同等な剛性を確保した包囲部その他の包囲部を用いることが可能である。
【００２８】
（２）弾性パッド３
弾性パッド３は、図１、図２（ｂ）及び図４〜図８に示すように、棒状部１の先端から離間した部位から前側に向けて延出されたものとして構成されている。
【００２９】
そして、この弾性パッド３は、自己の有する原形復帰力によって棒状化粧料１０に対する把持力を確保し得る弾性を有するものとして構成されている。
【００３０】
具体的には、弾性パッド３は、これらの図に示すように、棒状部１の先端から離間した部位から前側に向けて延出された棒状の弾性パッドに係る基端部３１と、この弾性パッドに係る基端部３１の先端から前側に向けて延出され、かつ、周方向に沿って複数設けられた弾性パッドに係る延出片部３２とを備えたものとして構成されている。ここで、包囲部２は、棒状部１の先端から前側に連続形成された棒状の包囲部に係る基端部２１と、この包囲部に係る基端部２１の先端から前側に向けて延出され、かつ、周方向に沿って複数設けられた包囲部に係る延出片部２２とを備えたものとして構成されている。
【００３１】
すなわち、弾性パッド３は、これらの図に示すように、多色射出成形法によって成形された複数の延出片、つまり、包囲部に係る延出片部２２と弾性パッドに係る延出片部３２とからなる複数の延出片のうち、弾性パッドに係る延出片部３２を備えたものとして構成されている。
【００３２】
そして、弾性パッド３、つまり、弾性パッドに係る延出片部３２は、これらの図に示すように、包囲部２、つまり、包囲部に係る延出片部２２によって棒状化粧料に押し付けられるものとして構成されている。
【００３３】
なお、弾性パッドに係る延出片部として、弾性パッドに係る延出片部の外周部全体が覆われるように包囲部に係る延出片部によって棒状化粧料に押し付けられるものを用いれば、弾性パッドによる棒状化粧料１０への把持力が不十分となる事態を有効に回避することが可能となる。
【００３４】
このように、弾性パッド３に、包囲部２によって棒状化粧料１０に押し付けられるものであることを要求するのは、自己の有する原形復帰力によって棒状化粧料１０に対する把持力が確保されるようにすることにより、落下等により強い衝撃を瞬間的に受けた場合でも、安定的かつ継続的な把持力をねばり強く維持することが可能な芯チャックとするためである。したがって、このような役割を果たすものであれば、本発明において弾性パッドに係る延出片部３２を備えた弾性パッド３の代わりに、筒状の弾性パッドその他の弾性パッドを用いても差し支えない。
【００３５】
ところで、本実施の形態において、弾性パッドに係る延出片部３２は、図２（ａ）及び図３に示すように、包囲部２の内周面から内側に突出して設けられているが、特定区間３３に着目すれば、先端側に比して基端側がより内側に突出するようにして設けられている。
【００３６】
このような弾性パッドに係る延出片部３２により、棒状化粧料１０に対し抜脱方向に力が働いたとき、より内側に突出する基端側が棒状化粧料１０に対して引っかかるように作用することとなっており、これにより、棒状化粧料１０が抜脱する事態をより有効に回避することが可能となっている。
【００３７】
なお、本実施の形態における特定区間３３は、これらの図に示すように、複数縦列に設けられており、これにより、棒状化粧料１０が抜脱する事態をより一層有効に回避することが可能となっている。
【００３８】
また、本実施の形態において、弾性パッド３は、棒状化粧料１０よりも軟らかいものであり、具体的には、スチレン系(SBC)、オレフィン系(TPO)、塩ビ系(TPVC)、ウレタン系(PU)、エステル系(TPEE)、アミド系(TPAE)等の熱可塑性エラストマー(TPE,Thermoplastic Elastomers)からなる、相当に軟質なものが用いられている。
【００３９】
このような弾性パッド３により、把持される棒状化粧料１０の後端部に対し棒状化粧料１０におけるクラックの発生を誘発するキズを確実につけないようにすることが可能となっており、その結果、棒状化粧料１０におけるクラックの発生をより確実に回避することが可能となっている。
【００４０】
したがって、このような役割を果たすものであれば、本実施の形態において、相当に軟質な熱可塑性エラストマーからなる弾性パッド３の代わりに、これと同等な軟らかさを有する合成ゴム（例えばニトリルゴム(NBR)、天然ゴム(NR)、スチレンブタジエンゴム(SBR)、ブタジエンゴム(BR)）、固化後にゴム状になる合成ゴム系接着剤それ自体からなる弾性パッドその他の弾性パッドを用いることが可能である。
【００４１】
なお、図４〜図８は、Ｂ−Ｂ断面〜Ｆ−Ｆ断面のいずれもが包囲部２及び弾性パッド３の双方を含む断面であることを示しているが、これらの図及び図２（ｂ）からすれば、少なくともＢ−Ｂ断面〜Ｆ−Ｆ断面の区間では、包囲部２及び弾性パッド３の双方が軸線方向に連続的に形成されていることを示している。これは、包囲部２に対するゲート及び弾性パッド３に対するゲートを各一箇所とすることにより、棒状部１の先端から前側に向けて延出される複数の延出片の本数分のゲートを包囲部２及び弾性パッド３の各々に対して設ける煩雑さを回避したことに起因するものであるが、任意の横断面における包囲部２又は弾性パッド３の占める割合を適宜可変設定することとすれば、棒状化粧料１０に対する把持力を適切な大きさに調整することが可能である。
【００４２】
上記したように、本実施の形態における芯チャックは、図１に示すように、棒状化粧料１０を後側から包囲する包囲部２とこの包囲部２によって棒状化粧料１０に押し付けられる弾性パッド３とを備えており、この弾性パッド３の原形復帰力によって棒状化粧料１０への把持力が確保されることとなっている。
【００４３】
したがって、このような芯チャックによれば、落下等により強い衝撃を瞬間的に受けた場合であっても、安定的かつ継続的な把持力がねばり強く維持されることとなっており、これにより、棒状化粧料１０が抜脱する事態を有効に回避することが可能となっている。
【００４４】
加えて、このような芯チャックによれば、棒状化粧料１０の外形寸法や棒状化粧料１０の把持される部分の内径寸法上の誤差も、ある程度弾性パッド３によって吸収し得ることとなっているため、把持される棒状化粧料１０の後端部に対しクラックの発生を誘発するキズをつけないことが可能となっており、その結果、棒状化粧料１０におけるクラック発生の問題も有効に回避することが可能となっている。
【００４５】
以上、本発明に係る芯チャックの一実施の形態としてのアイライナーペンシルの内蔵部品たる芯チャックについて説明したが、本発明はこのような実施の形態に限られるものではない。例えばリップライナーその他のペン型化粧品の内蔵部品たる芯チャックに適用してもよいし、非化粧品、例えば医薬品や筆記具の内蔵部品たる芯チャックに適用してもよい。また、棒状部と一体に設けられた芯チャックに限られず、棒状部と別個独立の部品として設けられた芯チャックであっても差し支えない。
【図面の簡単な説明】
【００４６】
【図１】本発明の一実施の形態に係る芯チャックの全体構成を示す側面図である。
【図２】同芯チャックの部分構成を示す図（（ａ）は正面図，（ｂ）は側面図）である。
【図３】同Ａ−Ａ断面図である。
【図４】同Ｂ−Ｂ断面図である。
【図５】同Ｃ−Ｃ断面図である。
【図６】同Ｄ−Ｄ断面図である。
【図７】同Ｅ−Ｅ断面図である。
【図８】同Ｆ−Ｆ断面図である。
【符号の説明】
【００４７】
１ 棒状部
２ 包囲部
３ 弾性パッド
１０ 棒状化粧料
１１ 雄螺子
２１ 包囲部に係る基端部
２２ 包囲部に係る延出片部
３１ 弾性パッドに係る基端部
３２ 弾性パッドに係る延出片部
３３ 特定区間
【図１】
0004737675.tif 000002
【図２】
0004737675.tif 000003
【図３】
0004737675.tif 000004
【図４】
0004737675.tif 000005
【図５】
0004737675.tif 000006
【図６】
0004737675.tif 000007
【図７】
0004737675.tif 000008
【図８】
0004737675.tif 000009